(57)【特許請求の範囲】
【請求項１】
所定の球に対して占める割合が半球より大きい球欠の内部が空洞になっており、一部が欠けた略球郭状の外形状を有する発音体部と、
前記発音体部における開口の中心である開口中心を通り前記発音体部の外曲面に直交する仮想線に沿って、前記発音体部の内面から前記開口中心に向けて突出する突起部と、
前記仮想線に沿って前記発音体部の外部から前記開口中心を通って延びて前記突起部に接触し、前記発音体部および前記突起部を、前記発音体部の前記開口が下向きになる姿勢で支持する支持柱部と、を有し、
前記発音体部の重心位置から前記突起部と前記支持柱部との接触位置までの長さは、前記球の半径の０．６２５倍より短く、
前記支持柱部の上端には、前記突起部に接触する凹曲面形状の凹曲面部と、前記凹曲面部の外周縁に形成されており平面状の縁部を有しており、
前記発音体部は、前記突起部が接続しており前記発音体部における他の部分より前記球郭の厚みが厚く、前記発音体部の内面が前記突起部より緩やかな傾斜で膨らんでいる膨張面部分が形成されている接続肉厚部を有することを特徴とするりん。
【請求項２】
前記突起部は、前記仮想線に対する母線のなす角が１５度以上４５度以下の略逆円錐状である請求項１に記載のりん。
【請求項３】
前記突起部における前記支持柱部との接触部分である突起接触部は、凸曲面形状である請求項１または請求項２に記載のりん。
【請求項４】
前記支持柱部は前記りんの設置面となる設置底面を有する略錐台形状であり、前記発音体部の開口縁と前記支持柱部との最短距離は、前記開口の半径の０．３倍以上である請求項１から請求項３までのいずれかに記載のりん。
【発明の詳細な説明】
【技術分野】
【０００１】
本発明は、家庭仏壇用の仏具等として好適に用いられるりんに関する。
【背景技術】
【０００２】
近年、家庭用の仏壇が小型化してきており、その仏壇に用いられる仏具も、仏壇のサイズに合わせて小型化する傾向がある。また、りんは読経中などで鳴らすものであるため、美しく余韻のある音色のものが求められる。
【０００３】
たとえば、近年のりんとして、開放部を下方に向けた椀型の発音体を、先端を細くするか、または球状とした支柱により支えるりんが提案されている（特許文献１参照）。このようなりんは、発音体と支持部との接触面積が小さいために、小型であっても美しい音色を生じるとともに、りん棒によって打たれた際に発音体が揺動することにより、音色の余韻に影響を与える。
【０００４】
また、開放部を下方に向けた椀型の発音体を有する他のりんとして、発音体を略半球郭形状とし、半球郭内面に突起を設け、その突起を支柱により支えるりんが提案されている（特許文献２参照）。このようなりんは、文献１に記載のりんに比べて、りん棒によって打たれた際に、発音体が揺動しやすい特性を有する。
【先行技術文献】
【特許文献】
【０００５】
【特許文献１】特開２００６−１３０３０５号公報
【特許文献２】特開２０１７−１３８３８５号公報
【発明の概要】
【発明が解決しようとする課題】
【０００６】
開放部を下方に向けた椀型の発音体を、先端を細くした支柱により支えるりんは、美しく反響し、長く響く音を発生させることができるが、りん棒によって打たれた際の発音体の揺動は振動周期が短く振幅も小さい傾向にあり、発音体の揺動により余韻に影響を与える効果が小さい。一方、発音体を略半球郭形状とし、半球郭内面に突起を設け、その突起を支柱により支えるりんは、発音体は揺動しやすいものの、発音体の構造による反響が少ない傾向にあるため、美しく反響する音を発生させることが難しいという問題がある。
【０００７】
本発明は、このような課題を解決するためになされたものであり、美しく長く響く音を発生させることができ、かつ、りん棒によって打たれた際の発音体部の揺動の振動周期が長く、独特の余韻を生じさせ得るりんを提供する。
【課題を解決するための手段】
【０００８】
本願発明に係るりんは、所定の球に対して占める割合が半球より大きい球欠の内部が空洞になっており、一部が欠けた略球郭状の外形状を有する発音体部と、
前記発音体部における開口の中心である開口中心を通り前記発音体部の外曲面に直交する仮想線に沿って、前記発音体部の内面から前記開口中心に向けて突出する突起部と、
前記仮想線に沿って前記発音体部の外部から前記開口中心を通って延びて前記突起部に接触し、前記発音体部および前記突起部を、前記発音体部の前記開口が下向きになる姿勢で支持する支持柱部と、を有し、
前記発音体部の重心位置から前記突起部と前記支持柱部との接触位置までの長さは、前記球の半径の０．６２５倍より短いことを特徴とする。
【０００９】
本発明に係るりんは、発音体部が半球より大きい球欠の内部が空洞になった形状を有しているため、発音体部の空洞部分で多くの反響を生じ、美しく響く音を発生させることができる。また、発音体部の内面から延びる突起部を設けることにより、突起部と支持柱部との接触位置を、発音体部における外郭の中心位置から開口面方向にずらすことにより、発音体部の重心位置と接触位置との間の長さを短くし、りん棒に打たれた際における発音体部の揺動の振動周期を長くすることができる。特に、発音体部の重心位置と接触位置の長さを、中実半球体の重心位置と頂点までの距離である半径の０．６２５（５／８）倍より短くすることにより、このようなりんは、美しく長く響く音を発生させることができ、かつ、りん棒によって打たれた際の発音体部の揺動の振動周期が長く、独特の余韻を生じさせ得る。
【００１０】
また、たとえば、前記発音体部は、前記突起部が接続しており前記発音体部における他の部分より前記球郭の厚みが厚い接続肉厚部を有してもよい。
【００１１】
このような接続肉厚部は、発音体部の外郭が仮想線に交わる付近、すなわち発音体部の頂点近傍に配置されるため、発音体部の重心を開口側から頂点側へ移動させ、突起部と支持柱部の接触位置と重心位置との長さを短くする効果がある。また、接続肉厚部は、突起部と発音体部の接続構造を補強する効果を奏するため、このようなりんは、耐久性が良好である。
【００１２】
また、たとえば、前記突起部は、前記仮想線に対する母線のなす角が１５度以上４５度以下の略逆円錐状であってもよい。
【００１３】
突起部を逆円錐状として、仮想線に対する母線のなす角を所定の角度以上とすることにより、突起部の強度を確保するとともに、振動による突起部の過剰な傾斜を制限できる。また、仮想線に対する母線のなす角を所定の角度以下とすることにより、発音体部の適切な範囲内での揺動時において、突起部と支持柱部とが干渉する問題を回避することができる。
【００１４】
また、たとえば、前記突起部における前記支持柱部との接触部分である突起接触部は、凸曲面形状であってもよい。
【００１５】
突起部接触部を凸曲面形状とすることにより、発音体部が傾いたときに、突起部が支持柱部の先端から逸脱することを防止し、発音体部の開口が下向きとなる元の姿勢に戻る復元力を、より好適に生じさせることができる。
【００１６】
また、たとえば、前記支持柱部の頂部には、前記突起部に接触する凹曲面形状の凹曲面部と、前記凹曲面部の外周縁に形成されており平面状の縁部を有してもよい。
【００１７】
支持柱部の頂部に凹曲面部を形成することにより、発音体部が傾いたときに、突起部が支持柱部の先端から逸脱することを防止し、発音体部の開口部が下向きとなる元の姿勢に戻る復元力を、より好適に生じさせることができる。また、凹曲面部の外周縁に平面状の縁部を形成することにより、発音体部の適切な範囲内での揺動時において、突起部と支持柱部とが干渉する問題を回避することができる。
【００１８】
また、たとえば、前記支持柱部は前記りんの設置面となる設置底面を有する略錐台形状であり、前記発音体部の開口縁と前記支持柱部との最短距離は、前記開口の半径の０．５倍以上であってもよい。
【００１９】
このような支柱柱部は、受け皿部分がなくても安定して発音体部を支えることができ、形状がシンプルであり部品点数が少ない。また、開口縁と支持柱部との最短距離が所定以上であるため、発音体部の揺動時において、開口縁と支持柱部が衝突する問題も防止できる。
【図面の簡単な説明】
【００２０】
【図１】図１は、本発明の第１実施形態に係るりんの外観図である。
【図２】図２は、図１に示すりんの断面図である。
【図３】図３は、図１に示すりんにおける発音体部および突起部の断面図である。
【図４】図４は、図１に示すりんにおける支持柱部の端面図である。
【図５】図５は、図２に示すりんの突起部と支持柱部との接触部分を拡大した拡大断面図である。
【図６】図６は、本発明の第２実施形態に係るりんの外観図である。
【図７】図７は、図６に示すりんの断面図である。
【図８】図８は、本発明の第３実施形態に係るりんの外観図である。
【図９】図９は、図８に示すりんの断面図である。
【発明を実施するための形態】
【００２１】
図１は、本発明の第１実施形態に係るりん１０を正面から見た外観図である。りん１０は、一部が欠けた略球郭状の外形状を有する発音体部２０を有する。りん１０の断面図である図２に示すように、発音体部２０は、内部が空洞である球郭部分（球郭２３、図２参照）を有しており、球郭部分は、開口２４が下向きになる姿勢で、支持柱部４０によって間接的に支持されている。
【００２２】
図２に示すように、りん１０は、発音体部２０の他に、突起部３０と、支持柱部４０とを有する。図１および図２から理解できるように、りん１０は、球または球の一部が平面で切り取られた球欠を連想する外観を有する。
【００２３】
図２に示すように、発音体部２０は、内部が空洞になっている球欠形状を有しており、その球欠は、所定の球に対して占める割合が半球より大きい。発音体部２０は、全球の球郭の一部が欠けた形状を有する球郭２３で構成され、発音体部２０の開口２４を下向きにして、支持柱部４０に対して、上方から覆いかぶせるように設置される。発音体部２０の外曲面２０ａは、略一様な曲率の曲面（凸曲面）となっているが、外曲面２０ａの状態はこれに限定されない。たとえば、外曲面２０ａは、曲率が徐々に変化する曲面であってもよく、外曲面２０ａに凹凸や彫刻などが形成されていてもよい。
【００２４】
発音体部２０の球郭２３は、一様な厚みではなく、発音体部２０の他の部分である周辺部２３ｂより、球郭２３の厚みが厚い接続肉厚部２３ａを有する。図２および図３に示すように、開口２４の中心である開口中心２４ａ（図３参照）を通り発音体部２０の外曲面２０ａに直交する仮想線２５は、発音体部２０の中央頂部２０ｃで球郭２３に交差する。図２に示すように、接続肉厚部２３ａは、球郭２３に仮想線２５が交差する中央頂部２０ｃに形成されており、接続肉厚部２３ａには、突起部３０が接続している。
【００２５】
図５は、りん１０における突起部３０の周辺部分を拡大した部分拡大断面図である。発音体部２０において接続肉厚部２３ａが形成されている部分では、発音体部２０の内面２０ｂが突起部３０より緩やかな傾斜で膨らんでいる膨張面部分２０ｂａが形成されている。発音体部２０において接続肉厚部２３ａが形成されていない部分では、発音体部２０の内面２０ｂが略一様な曲率を有する曲面（凹曲面）である曲面内面部分２０ｂｂが形成されている。図２および図５に示す断面図において、曲面内面部分２０ｂｂと外曲面２０ａとは、同心円弧の関係にあり、この部分の球郭２３の厚みは略一定である。
【００２６】
図３は、仮想線２５を通る断面による発音体部２０の断面図である。図３に示すように、突起部３０は、仮想線２５に沿って、発音体部２０の内面２０ｂから開口中心２４ａへ向けて突出する。図５に示すように、突起部３０の下端が、支持柱部４０の上端４０ａに接触している。発音体部２０および突起部３０は、支持柱部４０の上に載せられており、支持柱部４０に支えられた状態で揺動可能である。
【００２７】
図５に示すように、突起部３０は、下向きに尖る略逆円錐状の外形状を有する。仮想線２５に対する逆円錐の母線３２のなす角θは、特に限定されないが、１５度以上４５度以下であることが好ましい。仮想線２５に対する母線３２のなす角θを所定の角度以上とすることにより、突起部３０の強度を確保するとともに、振動による突起部３０の過剰な傾斜を制限できる。また、仮想線２５に対する母線３２のなす角θを所定の角度以下とすることにより、発音体部２０が適切な範囲内で揺動する際に、突起部３０と支持柱部４０の上端４０ａとが揺動を阻害する干渉を生じる問題を、回避することができる。なお、仮想線２５は、突起部３０の逆円錐の中心軸に一致する。
【００２８】
また、図５に示すように、突起部３０における支持柱部４０との接触部（すなわち突起部３０の下端）である突起接触部３４は、凸曲面形状であることが好ましい。突起接触部３４を凸曲面形状とすることにより、発音体部２０が傾いた際に、突起部３０が支持柱部４０の先端から逸脱することを防止し、揺動する発音体部２０を、より安定して支持することができる。
【００２９】
図２および図４に示すように、りん１０の支持柱部４０は、仮想線２５に沿って延びる軸部４１と、軸部４１の下端に接続しており平皿状の形状を有する受け皿部４８とを有する。軸部４１の下端は、受け皿部４８の中央に形成されたネジ穴に対してねじ止めされているが、軸部４１と受け皿部４８との固定方法は特に限定されない。また、軸部４１と受け皿部４８とは、一体成型されていてもよい。
【００３０】
図２に示すように、支持柱部４０は、仮想線２５に沿って、発音体部２０の外部から開口中心２４ａを通って延びて突起部３０に接触し、発音体部２０および突起部３０を、発音体部２０の開口２４が下向きになる姿勢で支持する。支持柱部４０の断面図である図４に示すように、支持柱部４０の上端４０ａには、突起部３０に接触する（図５参照）凹曲面形状の凹曲面部４２と、凹曲面部４２の外周縁４２ａに形成されており平面状の縁部４４とを有する。
【００３１】
図５に示すように、支持柱部４０の上端４０ａに、上向きの凹曲面部４２を形成することにより、発音体部２０が傾いたときに、突起部３０が支持柱部４０の柱上端４０ａから逸脱することを防止し、発音体部２０を元の姿勢に戻す復元力を、好適に生じさせることができる。また、凹曲面部４２の外周縁４２ａに平面状の縁部４４を形成することにより、縁部４４に対向する発音体部２０の膨張面部分２０ｂａとの間に、仮想線２５から遠ざかるにつれて大きくなる隙間が形成される。このように、互いに対向する縁部４４と膨張面部分２０ｂａとの間に、仮想線２５から遠ざかるにつれて大きくなる隙間を形成することにより、発音体部２０の適切範囲内での揺動時において、突起部３０および接続肉厚部２３ａと支持柱部４０とが干渉する問題を回避することができる。
【００３２】
図３に示すように、りん１０が有する発音体部２０は、半球より大きい球欠の外形状を有する。このような発音体部２０では、発音体部２０が半球または半球より小さい球欠の球郭状である場合に比べて内部の空洞が大きくなり、また、半球の球郭状である場合に比べて開口２４の面積が小さくなる。したがって、このような発音体部２０を有するりん１０では、発音体部２０で生じる音が、発音体部２０内に形成される空洞内で反響しやすく、美しく長く響く音を発生させることができる。
【００３３】
一方で、図３に示すような発音体部２０では、外形状の球欠の形状により、重心位置Ｇのが変化する。ここで、均質な中実の半球体における重心位置は、頂点からの距離が半径の０．６２５倍（５／８倍）となる中心軸上であるが、球欠が半球から全球へと大きくなるにつれて、頂点から重心位置までの距離が長くなり、全球では半径の１．０倍となる。図３に示す発音体部２０では、突起部３０を形成することにより、外形状を規定する球欠が半球よりも大きいにもかかわらず、発音体部２０の重心位置Ｇから突起部３０と支持柱部４０との接触位置Ｐまでの長さＬ１が、球欠を規定する球の半径ｒ１の０．６２５倍より短い。
【００３４】
このように、図１〜図５に示すりん１０では、発音体部２０の重心位置Ｇから突起部３０と支持柱部４０との接触位置Ｐまでの長さＬ１を、半径ｒ１の０．６２５倍より短くすることにより、傾いた発音体部２０を元の姿勢に戻す方向に作用する復元力の大きさを抑制することができる。したがって、このようなりん１０は、発音体部２０の外形状が半球より大きい球欠であるにもかかわらず、りん棒に打たれた際における発音体部２０の揺動の振動周期を、半球郭状の従来の発音体と同等若しくはそれ以上に、長くすることができる。
【００３５】
したがって、このようなりん１０は、美しく長く響く音を発生させることができ、かつ、りん棒によって打たれた際の発音体部２０の揺動の振動周期が長く、独特の余韻を生じさせる。また、図３に示すように、発音体部２０が接続肉厚部２３ａを有することも、発音体部２０の重心位置Ｇを開口２４側から中央頂部２０ｃ側へ移動させ、発音体部２０の揺動を容易にさせる効果がある。
【００３６】
なお、図３に示す発音体部２０の重心位置Ｇから突起部３０と支持柱部４０との接触位置Ｐまでの長さＬ１は、半径ｒ１の０．３７５倍以上とすることが、発音体部２０の揺動が大きくなりすぎて、支持柱部４０による発音体部２０の支持が不安定になることを防止する観点から好ましい。
【００３７】
りん１０における発音体部２０および突起部３０の材質は、合金を含む金属、ガラス、セラミックなどが例示されるが、音の響き、質感、耐久性などの観点から金属が好ましい。また、支持柱部４０の材質としては、合金を含む金属、ガラス、セラミック、樹脂、木材などが挙げられるが、特に限定されない。また、発音体部２０、突起部３０の材質と、支持柱部４０の材質とは、同一であってもよく、異なっていてもよい。
【００３８】
第２実施形態
図６は、本発明の第２実施形態に係るりん１１０を示す外観図であり、図７は図６に示すりん１１０の概略断面図である。第２実施形態に係るりん１１０は、支持柱部１４０における軸部１４１の形状が、図２に示す軸部４１とは異なる点で相違するが、その他の部分は第１実施形態に係るりん１０と同様である。りん１１０については、りん１０との相違点を中心に説明を行い、りん１０との共通点については説明を省略する。
【００３９】
図７に示すように、りん１１０の軸部１４１はくびれ部１４７を有しており、軸部１４１は、くびれ部１４７より上方および下方に向かって徐々に太くなっている。支持柱部１４０の上端４０ａには、凹曲面部４２および縁部４４が形成されており、支持柱部１４０は、図２および図５に示す支持柱部４０と同様に、発音体部２０および突起部３０を揺動可能に支持する。
【００４０】
図６および図７に示すりん１１０のように、支持柱部１４０における軸部１４１の形状は、図１〜図５に示すりん１０における軸部４１のような直同の円柱形状のみには限定されず、くびれ部１４７を有する形状であってもよい。図６および図７に示すりん１１０も、図１〜図５に示すりんと同様の効果を奏する。
【００４１】
第３実施形態
図８は、本発明の第３実施形態に係るりん２１０を示す外観図であり、図９は図８に示すりん２１０の概略断面図である。第３実施形態に係るりん２１０は、支持柱部２４０の形状が、図２に示す支持柱部４０とは異なる点で相違するが、その他の部分は第１実施形態に係るりん１０と同様である。りん２１０については、りん１０との相違点を中心に説明を行い、りん１０との共通点については説明を省略する。
【００４２】
図８に示すように、りん２１０の支持柱部２４０は、りん１０の受け皿部４８に相当する部分を有しない。図９に示すように、支持柱部２４０は、軸部２４１が略円錐台形状であり、軸部２４１が、りん２１０の設置面となる設置底面２４１ｂを有する。りん２１０において、発音体部２０の開口縁２４ｂと支持柱部２４０との最短距離Ｌ２は、開口２４の半径ｒ２の０．５倍以上０．７倍以下であることが好ましい。りん２１０は、受け皿部４８を有さず、支持柱部２４０と発音体部２０と間の間隔が大きいため、発音体部２０が大きく揺動した場合にも、発音体部２０が支持柱部２４０に衝突する問題を防止できる。また、りん２１０は、受け皿部４８を有さなくても、支持柱部２４０が十分な重量と設置面積を有するため、支柱柱部２４０が安定的に発音体部２０を支えることができる。
【００４３】
また、支持柱部２４０は、軸部２４１が略円錐台形状であるため、適切な面積の設置底面２４１ｂを確保することができ、受け皿部を有さなくても、軸部１４１が安定してりん２１０全体を支持することができる。なお、支持柱部２４０の上端４０ａには、凹曲面部４２および縁部４４が形成されており、支持柱部２４０は、図２に示す支持柱部４０と同様に、発音体部２０および突起部３０を揺動可能に支持する。また、設置底面２４１ｂの上下方向に関する投影面積は、支持柱部２４０の上端４０ａの上下方向に関する投影面積の２倍以上とすることが、発音体部２０と支持柱部４０との干渉を避けつつ、支持柱部４０が発音体部２０を安定的に支持する観点から好ましい。
【００４４】
支持柱部２４０の材質は、支持柱部４０と同様であり、特に限定されない。ただし、支持柱部２４０が発音体部２０および突起部３０をより安定した状態で支持するために、支持柱部２４０の重量は、発音体部２０の重量と同等か、発音体部２０の重量より重くてもよい。
【００４５】
以上、本発明のりんを、実施形態を挙げて説明したが、本発明はこれらの実施形態のみに限定されるものではない。たとえば、発音体部２０の球欠を規定する球は、必ずしも厳密な真球のみに限定されるものではなく、真球を若干変形させた楕円球なども、この場合における球の概念に含まれ得る。また、発音体部２０には、デザイン的または音響的な観点から、支持柱部２４０が通る開口２４以外の他の孔が形成されていてもよい。
【符号の説明】
【００４６】
１０、１１０、２１０…りん
２０…発音体部
２０ａ…外曲面
２０ｂ…内面
２０ｂａ…膨張面部分
２０ｂｂ…曲面内面部分
２３…球郭
２３ａ…接続肉厚部
２３ｂ…周辺部
２４…開口
２４ａ…開口中心
２４ｂ…開口縁
２５…仮想線
θ…角
Ｇ…重心位置
Ｐ…接触位置
ｒ１…球の半径
ｒ２…開口の半径
Ｌ１、Ｌ２…長さ
３０…突起部
３２…母線
３４…突起接触部
４０、１４０、２４０…支持柱部
４０ａ…上端
４１、１４１、２４１…軸部
４２…凹曲面部
４２ａ…外周縁
４４…縁部
４８…受け皿部
１４７…くびれ部
２４１ｂ…設置底面
【要約】      （修正有）【課題】美しく長く響く音を発生させることができ、かつ、りん棒によって打たれた際の発音体部の揺動の振動周期が長く、独特の余韻を生じさせ得るりんを提供する。【解決手段】所定の球に対して占める割合が半球より大きい球欠の内部が空洞になっており、一部が欠けた略球郭状の外形状を有する発音体部２０と、前記発音体部における開口２４の中心である開口中心２４ａを通り前記発音体部の外曲面に直交する仮想線２５に沿って、前記発音体部の内面から前記開口中心に向けて突出する突起部３０と、前記仮想線に沿って前記発音体部の外部から前記開口中心を通って延びて前記突起部に接触し、前記発音体部および前記突起部を、前記発音体部の前記開口が下向きになる姿勢で支持する支持柱部４０と、を有し、前記発音体部の重心位置から前記突起部と前記支持柱部との接触位置までの長さは、前記球の半径の０．６２５倍より短いことを特徴とするりん１０。【選択図】図２【図１】
0006886743.tif 000002
【図２】
0006886743.tif 000003
【図３】
0006886743.tif 000004
【図４】
0006886743.tif 000005
【図５】
0006886743.tif 000006
【図６】
0006886743.tif 000007
【図７】
0006886743.tif 000008
【図８】
0006886743.tif 000009
【図９】
0006886743.tif 000010